(57)【要約】      （修正有）【課題】安価で重量が軽く、気流によって流動可能な媒介を流動させて人体を支持する流体支持ベッドを提供する。【解決手段】少なくとも、流動可能な媒介を収納する充填槽１１４を有し、発泡ポリスチレンからなる本体と、発泡ポリスチレンからなる本体全体の外表面をカバーする塗装層とを含むベッド本体１０２と、前記ベッド本体の前記充填槽の底面に接続され、気流を供給するための送風機１０６と、複数の貫通孔を有し、前記充填槽の底面に位置する支持板と、前記支持板上をカバーし、気流が通過し、前記流動可能な媒介が通過しない通気板と、前記充填槽の外縁に嵌合される金属枠とにより流体支持ベッド１００を構成する。【選択図】図１
0003165463.tif 000002
【実用新案登録請求の範囲】
【請求項１】
少なくとも、
流動可能な媒介を収納する充填槽を有し、発泡ポリスチレンからなる本体と、前記発泡ポリスチレンからなる本体全体の外表面をカバーする塗装層とを含むベッド本体と、
前記ベッド本体の前記充填槽の底面に接続され、気流を供給するための送風機と、
複数の貫通孔を有し、前記充填槽の底面に位置する支持板と、
前記支持板上をカバーし、気流が通過し、前記流動可能な媒介が通過しない通気板と、
前記充填槽の外縁に嵌合される金属枠と
を含む流体支持ベッド。
【請求項２】
前記塗装層が防水、耐摩耗、且つ前記発泡ポリスチレンを侵蝕しない塗料からなり、厚さが３ｍｍ〜６ｍｍである請求項１に記載の流体支持ベッド。
【請求項３】
前記発泡ポリスチレンの密度が１６〜１８キログラム／立方メートルである請求項１に記載の流体支持ベッド。
【請求項４】
前記支持板が金属網又は通氣孔がまんべんに分布された金属板である請求項１に記載の流体支持ベッド。
【請求項５】
前記充填槽の底面に前記ベッド本体の長方向に延伸する通氣溝を有する請求項１に記載の流体支持ベッド。
【考案の詳細な説明】
【技術分野】
【０００１】
本考案はベッドに関し、特に気流によって流動可能な媒介を流動させて人体を支持するベッドに関する。
【背景技術】
【０００２】
気流にさらされて動かす流動可能な媒介（例えば、砂、ガラス、セラミック又はシリカゲル材質の微粒）を入れて、心地よく病人の身体を支持する流体支持ベッドは、すでに用いられている。
【０００３】
流体支持ベッドは、心地よく病人の身体を支持する支持面を提供し、身体の皮膚が受ける圧力を均等にし、褥瘡の発生を避ける。また、流体支持ベッドは、身体の皮膚が受ける圧力を均等にするため、病人が身体を動かしても、怪我した皮膚に余計な圧力がかかることがないので、皮膚に外傷がある病人に、特に大面積の皮膚外傷がある病人に適している。
【０００４】
従来、流体支持ベッドは数百キログラムの流動可能な媒介を支持するために、ベッド本体がほぼ強度が高い金属からなる（例えば、米国特許ＵＳ６,０７３,２８９に開示されているベッド本体）。このため、ベッド本体（流動可能な媒介を除き）が重いので、運びにくく、一般家庭にて組み立てにくい。また、金属ベッド本体のコストが高いので、流体支持ベッドの価格が高騰し、流体支持ベッドの普及にとって不利である。
【考案の概要】
【考案が解決しようとする課題】
【０００５】
そこで、本考案は、重量が低減される流体支持ベッドを提供することを目的とする。
【課題を解決するための手段】
【０００６】
前記目的を達成するために、本考案は、少なくとも、流動可能な媒介を収納する充填槽を有し、発泡ポリスチレンからなる本体と、前記発泡ポリスチレンからなる本体全体の外表面をカバーする塗装層とを含むベッド本体と、前記ベッド本体の前記充填槽の底面に接続され、気流を供給するための送風機と、複数の貫通孔を有し、前記充填槽の底面に位置する支持板と、前記支持板上をカバーし、気流が通過し、前記流動可能な媒介が通過しない通気板と、前記充填槽の外縁に嵌合される金属枠とを含む流体支持ベッドを提供する。
【０００７】
また、本考案の実施形態によれば、流体支持ベッドは、ベッド本体の下に位置し、ベッド本体の高さを上げるためのリフト部材を更に含んでよい。
【０００８】
また、本考案の他の実施形態によれば、塗装層が発泡ポリスチレンを侵蝕しない塗料からなることが好ましい。
【０００９】
また、本考案の他の実施形態によれば、塗装層の厚さが３ｍｍ〜６ｍｍであることが好ましい。
【００１０】
また、本考案の他の実施形態によれば、塗装層が防水、耐摩耗、且つ発泡ポリスチレンを侵蝕しない塗料からなることが好ましい。
【００１１】
また、本考案の他の実施形態によれば、発泡ポリスチレンの密度が１６〜１８キログラム／立方メートルであることが好ましい。
【００１２】
また、本考案の他の実施形態によれば、支持板が金属網又は通氣孔がまんべんに分布された金属板であることが好ましい。
【００１３】
また、本考案の他の実施形態によれば、金属枠がアルミニウム、マグネシウム、チタン、ステンレス鋼、及び前記金属の合金のいずれかの材料からなる金属枠であってよい。
【００１４】
また、本考案の他の実施形態によれば、ベッド本体が送風機を収納する収納槽を更に含んでよい。
【００１５】
また、本考案の他の実施形態によれば、充填槽の底面にベッド本体の長方向に延伸する通氣溝を有してよい。
【考案の効果】
【００１６】
前記によれば、本考案に係る流体支持ベッドは、発泡ポリスチレン及び塗料が用いられることにより、ベッド本体の重量が効果的に低減され、また、ベッド本体の充填槽の薄い壁に対し、金属枠により、充填槽の壁の強度を向上させ、流動可能な媒介を支持するために必要な強度が維持される。
【図面の簡単な説明】
【００１７】
下記図面の簡単な説明は、本考案の前記または他の目的、特徴、メリット、実施形態をより分かりやすくするためのものである。
【図１】本考案の一実施形態に係る流体支持ベッドを示す斜視図。
【図２】図１に示す流体支持ベッドの平面図。
【図３】図１に示す流体支持ベッドの分解図。
【図４】図３に示すベッド本体の平面図。
【図５】図３に示すベッド本体の側面透視図。
【図６】図５の６−６’に沿った断面図。
【考案を実施するための形態】
【００１８】
図１は、本考案の一実施形態に係る流体支持ベッドの斜視図である。流体支持ベッド１００は、基本として、ベッド本体１０２と送風機１０６を含む。ベッド本体１０２は、気流にさらされて動かす流動可能な媒介（例えば、砂や、ガラス、セラミックス、シリカゲル材質の微粒など）を収納するための充填槽１１４を有する。送風機１０６は、流動可能な媒介を流動させるに必要な気流を供給するように、ベッド本体１０２の充填槽１１４の底面に接続される。
【００１９】
流体支持ベッド１００は、ベッド本体１０２の下に位置し、ベッド本体１０２の高さを上げるためのリフト部材１０４を更に含んでよいが、リフト部材１０４は流体支持ベッド１００にとって必須部品ではない。
【００２０】
病人の四肢を固定するために、流体支持ベッド１００は、フレーム１０８、スタンド１１０、吊り革１１２、及び三角枠１１２ａを更に含んでよい（図３を参照）。しかし、これらの部材は、オプション部材である。
【００２１】
ベッド本体１０２底部のアーチ状欠口１１７は、他の医療器具に合わせるために設計されたものである。例えば、ベースを有するリフト器具を流体支持ベッド１００の上に操作する場合、リフト器具のベースがアーチ状欠口１１７に入り、リフト器具を流体支持ベッド１００の上に設置することができる。他の医療器具に合わせる必要がない場合は、アーチ状欠口１１７を設けなくてもよい。
【００２２】
図２は、図１に示す流体支持ベッドの平面図である。この図に示すのは、ベッド本体１０２の充填槽１１４に流動可能な媒介を入れていない状態である。充填槽１１４の底面は通気板１１６を有する。通気板１１６は、気流が通過するが、該流動可能な媒介が通過しない。即ち、充填槽１１４に流動可能な媒介を入れた場合、流動可能な媒介が通気板１１６の下に浸透することはないが、気流が通気板１１６を通して、通気板１１６上の流動可能な媒介を流動させることはできる。通気板１１６は、ネジ１１８ａがワッシャー１１８ｂを通して充填槽１１４の底面に止めることによって固定される。
【００２３】
図３は、図１に示す流体支持ベッドの分解図である。本実施形態において、ベッド本体１０２は発泡ポリスチレン（Ｅｘｐａｎｄｅｄ  Ｐｏｌｙｓｔｙｒｅｎｅ；ＥＰＳ）からなる。ベッド本体１０２の強度を向上するために、充填槽１１４の外縁に金属枠（１２４ａ、１２４ｂ）が設けられ、充填槽１１４の壁の強度を向上させる。充填槽１１４全体の外縁を取り囲むように、二本のＵ字型金属枠（１２４ａ、１２４ｂ）は一対の連結部材１２５によって固定される。金属枠（１２４ａ、１２４ｂ）の外に、金属枠（１２４ａ、１２４ｂ）を覆って固定するプラスチック枠（１２６ａ、１２６ｂ）を更に加えてもよい。二本のプラスチック枠（１２６ａ、１２６ｂ）は、ちょうど充填槽１１４全体の外縁を取り囲むように接合される。
【００２４】
ベッド本体１０２の充填槽１１４内に通気板１１６と支持板１２２を詰める必要がある。通気板１１６は、気流が通過するが、流動可能な媒介が通過しない。通気板１１６は、紙や布等の材料によって製造された通気可能な平板であってよく、流動可能な媒介が通気板１１６の下に浸透することなく、気流が下から上までに通過し、通気板１１６を通して流動可能な媒介を流動させる。支持板１２２は、通気板１１６の下に詰められ、数百キログラムの重量を支持する。支持板１２２は、主な機能として、支持強度を向上して、気流を通させることにあるので、金属網や通氣孔をまんべんに分布された金属板であってよく、図に示すように、貫通孔１２２ａが均一に支持板１２２に分布される。通気板１１６は、ネジ１１８ａを通らせるための孔を有してよい。各ネジ１１８ａはワッシャー１１８ｂを通し、対応する通気板１１６の孔と支持板１２２の貫通孔１２２ａを通して、充填槽１１４の底面に止められる。ワッシャー１１８ｂは、ネジ１１８ａによって通気板１１６に加える圧力を分散する役割を果たして、流動可能な媒介が通気板１１６の孔から浸透することを防止する。前記に記載されている通気板１１６の固定方法は唯一の方法ではなく、当該分野における技術者であれば、必要に応じて異なる固定方法を応用してもよい。
【００２５】
ベッド本体１０２の一方の外側壁に、送風機１０６を装着するための収納槽１０２ｂを有する。送風機１０６は接続パイプ１０７でベッド本体１０２内の気道１０３ｄに接続される（図４、図５を参照）。ベッド本体１０２の他方の外側壁において、収納槽１０２ｃ内に引き出し１０９を増設してもよい（図５を参照）。
【００２６】
流体支持ベッド１００は、ベッド本体１０２の高さを上げるためのリフト部材１０４を更に含んでよい。リフト部材１０４の頂面に細長突起１０４ａが設けられており、ベッド本体１０２の底面にスリット１０２ａが設けられている。細長突起１０４ａとスリット１０２ａとが係合することによって、ベッド本体１０２がリフト部材１０４に安定に設置される。
【００２７】
病人の四肢を固定するために、流体支持ベッド１００は、フレーム１０８、スタンド１１０、吊り革１１２、及び三角枠１１２ａを更に含んでよい。フレーム１０８は、位置決め部材１０８ａをリフト部材１０４の底孔１０４ｂに挿入されてベッド本体に固定される。スタンド１１０は、フレーム１０８に挿設され、吊り革１１２及び三角枠１１２ａで病人の四肢をつり下げて固定する。
【００２８】
また、流体支持ベッドに、温度制御機能を増設して、加熱器を送風機１０６内又は送風機１０６からの気流の経路に取り付けられてよく、温度センサー１１９ａと温度スイッチ１１９ｂが協働して、流体支持ベッドの温度を制御してもよい。温度センサー１１９ａは、通気板１１６や支持板１２２や他の所定位置に固定されてよく、環境温度を検出して、温度信号を加熱器にフィードバックする。温度スイッチ１１９ｂは、加熱器のオン／オフを制御し、温度センサー１１９ａによって環境温度が所定の温度に達したことを検出すると、直ちに加熱器をオフにする。
【００２９】
図４は図３に示すベッド本体の平面図であり（通気板１１６と支持板１２２を図示せず）、図５は図３に示すベッド本体の側面透視図である。図４と図５を参照しながら、前記のように、ベッド本体１０２は発泡ポリスチレンから製造されるので、ネジが直接に発泡ポリスチレンに止めることができない。これに対し、ベッド本体１０２の充填槽１１４の底に複数のナット（１０３ｂ；１０３ｃ）が埋められており、ネジ１１８ａ（図３を参照）をナット（１０３ｂ；１０３ｃ）のメスネジに止めさせる。二列のナット１０３ｂはやや通氣溝１０３ａに平行して配置され、ナット１０３ｃは充填槽１１４の底の縁部に配置される。通氣溝１０３ａはややベッド本体の長方向に延伸し、気道１０３ｄから供給される気流をすばやく図に示す矢印に沿って均等に分散させる。図４に示すように、収納槽１０２ｂに送風機１０６（図３を参照）が装着した後、送風機１０６から供給される気流が図に示す矢印に沿って気道１０３ｄを流動し、通氣溝１０３ａ（図４を参照）まで供給される。
【００３０】
図６は、図５の６−６’に沿った断面図である。本実施形態において、ベッド本体１０２は、基本として、発泡ポリスチレンからなる本体１０５ｂと塗装層１０５ａからなる。塗装層１０５ａは、発泡ポリスチレンからなる本体１０５ｂ全体の外表面をカバーし、ベッド本体の強度と防水、耐摩耗等の性能を向上させる。本実施形態において、発泡ポリスチレンからなる本体１０５ｂの密度が１６〜１８キログラム／立方メートルである。発泡ポリスチレンの密度をさらに上げるとベッド本体の強度が向上されるが、ベッド本体の重量も増加されるので、発泡ポリスチレンからなる本体１０５ｂの重量と強度を考量して、前記密度がバランスをとっているので、好ましい密度である。また、塗装層１０５ａもベッド本体の強度を向上する１つの要因であり、本実施形態において、塗装層１０５ａの厚さが約３ｍｍ〜６ｍｍである。塗装層１０５ａの厚さが３ｍｍより薄い時、ベッド本体の強度を向上する効果が顕著に得られないが、塗装層１０５ａの厚さが６ｍｍより厚い時、ベッド本体の重量が増加する。塗装層１０５ａは、少なくとも発泡ポリスチレンからなる本体１０５ｂを侵蝕しない塗料で、好ましくは、防水、耐摩耗、且つ発泡ポリスチレンからなる本体１０５ｂを侵蝕しない塗料からなる。
【００３１】
また、ベッド本体１０２の充填槽１１４の壁が薄くなるため、図３に示すように、金属枠（１２４ａ、１２４ｂ）の増設によって、充填槽１１４の壁の強度が向上される。金属枠（１２４ａ、１２４ｂ）は、アルミニウム、マグネシウム、チタン、ステンレス鋼、及び前記金属の合金のいずれかの材料からなってよい。
【００３２】
前記本考案の実施形態により、本考案の流体支持ベッドによれば、ベッド本体に発泡ポリスチレンと塗料を用いる設計により、ベッド本体の重量が効果的に低減され、流動可能な媒介を支持するために必要な強度が維持され、また、ベッド本体の充填槽の薄い壁に対し、金属枠によって、強度が向上されることが分かる。
【００３３】
本考案では好適な実施形態を前述の通り開示したが、これは決して本考案を限定するものではなく、当該分野の技術を熟知しているものであれば、本考案の精神と領域を離脱しない範囲内で、多様の変動や修正を加えることができる。従って本考案の保護範囲は、実用新案登録請求の範囲で指定した内容を基準とする。
【符号の説明】
【００３４】
１００：流体支持ベッド
１０２：ベッド本体
１０２ａ：スリット
１０２ｂ：収納槽
１０２ｃ：収納槽
１０３ａ：通氣溝
１０３ｂ：ナット
１０３ｃ：ナット
１０３ｄ：気道
１０４：リフト部材
１０４ａ：細長突起
１０４ｂ：底孔
１０５ｂ：発泡ポリスチレンからなる本体
１０５ａ：塗装層
１０６：送風機
１０７：接続パイプ
１０８：フレーム
１０８ａ：位置決め部材
１０９：引き出し
１１０：スタンド
１１２：吊り革
１１２ａ：三角枠
１１４：充填槽
１１６：通気板
１１７：アーチ状欠口
１１８ａ：ネジ
１１８ｂ：ワッシャー
１１９ａ：温度センサー
１１９ｂ：温度スイッチ
１２２：支持板
１２２ａ：貫通孔
１２４ａ：金属枠
１２４ｂ：金属枠
１２５：連結部材
１２６ａ：プラスチック枠
１２６ｂ：プラスチック枠
【図１】
0003165463.tif 000003
【図２】
0003165463.tif 000004
【図３】
0003165463.tif 000005
【図４】
0003165463.tif 000006
【図５】
0003165463.tif 000007
【図６】
0003165463.tif 000008